(57)【要約】【課題】電磁クラッチによって２方向クラッチを制御する回転伝達装置において、ロータガイドを回り止めする手段および軸方向に非分離とする手段の構成を簡素化して加工コストの低減と組立て性の向上を図ることである。【解決手段】外輪１と内輪２間に２方向クラッチ１０を組込み、その２方向クラッチ１０に併設して電磁クラッチ２０を設ける。外輪１の開口端部の外周面にローレット目２９を形成し、その開口端部に電磁クラッチ２０のロータ２２を保持するロータガイド２７を嵌合し、このロータガイド２７の端部を縮径による加締め加工により外輪１に結合一体化して、加工コストの低減と組立て性の向上を図る。【選択図】図１
2008202630.tif 000002
【特許請求の範囲】
【請求項１】
外輪とその内側に組込まれた内輪との間に、係合子およびその係合子を保持する保持器を有し、その保持器の回転制御により係合子を外輪と内輪の対向面に噛み込ませて外輪と内輪とを結合する２方向クラッチを組込み、その２方向クラッチに併設して、その２方向クラッチの係合および係合解除を制御する電磁クラッチを設け、その電磁クラッチが、前記保持器に対して回り止めされ、かつ軸方向に移動自在に支持されたアーマチュアと、そのアーマチュアと軸方向で対向するロータと、そのロータと軸方向で対向し、通電によってロータにアーマチュアを吸着させる電磁石とからなり、前記ロータをロータガイド内に組込んで回り止めし、そのロータガイドを外輪の開口端部の外周に嵌合して回り止めし、かつ抜止めした回転伝達装置において、
前記外輪のロータガイドが嵌合される嵌合面にローレット目を形成し、そのローレット目を覆うようにして外輪の端部外周に嵌合したロータガイドの嵌合端部を縮径による加締め加工により外輪に結合一体化したことを特徴とする回転伝達装置。
【発明の詳細な説明】
【技術分野】
【０００１】
この発明は、動力の伝達経路上において、動力の伝達と遮断の切換えに用いられる回転伝達装置に関するものである。
【背景技術】
【０００２】
ＦＲベースの４輪駆動車において、補助駆動輪としての前輪に駆動力の伝達と遮断とを行う回転伝達装置として、特許文献１に記載されたものが従来から知られている。
【０００３】
上記特許文献１に記載された回転伝達装置においては、入力側部材に形成された大径部とその外側に設けられた外輪間に２方向クラッチを組込み、その２方向クラッチに併設した電磁クラッチによって２方向クラッチの係合および係合解除を制御し、上記２方向クラッチの係合により入力側部材と外輪を結合して、入力側部材と外輪の相互間で回転トルクの伝達を行うようにしている。
【０００４】
ここで、２方向クラッチは、外輪の内周に円筒面を形成し、入力側部材の大径部の外周には上記円筒面との間で周方向の両端が狭小のくさび形空間を形成するカム面を設け、そのカム面と円筒面との間にローラからなる係合子を組込み、その係合子を保持する保持器と入力側部材の相対回転により係合子を円筒面およびカム面に係合させるようにしている。また、入力側部材と保持器との間にスイッチばねを組込み、そのスイッチばねにより、係合子が円筒面およびカム面に対して係合解除される中立位置に保持器を弾性保持している。
【０００５】
一方、電磁クラッチは、保持器に回り止めされ、かつ軸方向に移動自在に支持されたアーマチュアと、外輪に接続されてアーマチュアと軸方向で対向するロータと、そのロータと軸方向で対向する電磁石と、上記アーマチュアをロータから離反する方向に付勢する離反ばねとからなり、上記電磁石に対する通電により、ロータにアーマチュアを吸着し、外輪に結合されたアーマチュアと入力側部材の相対回転により係合子を円筒面およびカム面に係合させるようにしている。
【０００６】
特許文献１に記載された回転伝達装置は、上記のように、アーマチュアの吸着により保持器の回転を制御して２方向クラッチを係合させるため、アーマチュアが吸着されるロータを外輪に対して回り止めし、かつ軸方向に抜止めする必要がある。
【０００７】
そこで、上記回転伝達装置においては、外輪の開口端部内にロータガイドを嵌合して回り止めし、かつ、軸方向に非分離とし、そのロータガイド内にロータを組込んで回り止めし、かつ抜止めするようにしている。
【０００８】
【特許文献１】特開２００５−２４９００３号公報
【発明の開示】
【発明が解決しようとする課題】
【０００９】
ところで、上記特許文献１に記載された回転伝達装置においては、ロータガイドを回り止めする手段が、外輪の開口端面に形成された切欠部とロータガイドに設けられた回り止め片の嵌合によるものであり、また、軸方向に非分離とする手段が、外輪の端部内周に形成された係合溝と上記回り止め片の内径面に形成された抜止め溝に跨るようにして取付けた止め輪の係合によるものであるため、構成が複雑であって、加工および組立てに非常に手間がかかり、その加工コストの低減と組立て性の向上を図る上において改善すべき点が残されていた。
【００１０】
この発明の課題は、電磁クラッチによって２方向クラッチを制御する上記のような回転伝達装置において、ロータガイドを回り止めする手段および軸方向に非分離とする手段の構成を簡素化して加工コストの低減と組立て性の向上を図ることである。
【課題を解決するための手段】
【００１１】
上記の課題を解決するため、この発明においては、外輪とその内側に組込まれた内輪との間に、係合子およびその係合子を保持する保持器を有し、その保持器の回転制御により係合子を外輪と内輪の対向面に噛み込ませて外輪と内輪とを結合する２方向クラッチを組込み、その２方向クラッチに併設して、その２方向クラッチの係合および係合解除を制御する電磁クラッチを設け、その電磁クラッチが、前記保持器に対して回り止めされ、かつ軸方向に移動自在に支持されたアーマチュアと、そのアーマチュアと軸方向で対向するロータと、そのロータと軸方向で対向し、通電によってロータにアーマチュアを吸着させる電磁石とからなり、前記外輪のロータガイドが嵌合される嵌合面にローレット目を形成し、そのローレット目を覆うようにして外輪の端部外周に嵌合したロータガイドの嵌合端部を縮径による加締め加工により外輪に結合一体化した構成を採用したのである。
【発明の効果】
【００１２】
上記のように、外輪の開口端部の外周面にローレット目を形成し、そのローレット目を覆うようにして外輪の開口端部にロータガイドを嵌合し、その嵌合端部に縮径による加締め加工を行ったことにより、外輪とロータガイドの嵌合面が強く密着し、上記外輪に対してロータガイドを強固に結合一体化することができる。
【００１３】
また、外輪の開口端部の外周面にローレット目を形成する加工と、ロータガイドの端部を縮径加締めする加工とによって、ロータガイドを回り止めし、同時に軸方向に非分離（抜止め）とすることができるため、加工コストの低減と、組立て性の向上を図ることができる。
【発明を実施するための最良の形態】
【００１４】
以下、この発明の実施の形態を図面に基いて説明する。図１に示すように、外輪１の内側には内輪２が組込まれ、その外輪１と内輪２は軸受３によって相対的に回転自在に支持されている。
【００１５】
内輪２の内側には入力軸４が挿入され、その入力軸４と内輪２はセレーション５により回り止めされて、入力軸４と内輪２が一体に回転するようになっている。
【００１６】
外輪１と内輪２に形成された大径部２ａとの間には２方向クラッチ１０が組込まれている。図１および図３に示すように、２方向クラッチ１０は、外輪１の内周に円筒面１１を形成し、内輪２の大径部２ａの外周には上記円筒面１１との間で周方向の両端が狭小のくさび形空間を形成する平坦なカム面１２を周方向に間隔をおいて設け、その各カム面１２と円筒面１１間にローラからなる係合子１３を組込み、その係合子１３を保持器１４によって保持している。
【００１７】
また、内輪２の端部内に周方向の一部が切り離されたスイッチばね１５を組込み、そのスイッチばね１５の両端から外向きに形成された一対の押圧片１５ａを内輪２の端面に形成された切欠部１６から保持器１４の端部に設けられた切欠き１７内に挿入して切欠部１６および切欠き１７の周方向で対向する側面を相反する方向に押圧し、その押圧によって係合子１３が円筒面１１およびカム面１２に対して係合解除される中立位置に保持器１４を弾性保持している。
【００１８】
図１に示すように、外輪１と保持器１４の相互間には、上記２方向クラッチ１０に併設してその２方向クラッチ１０の係合および係合解除を制御する電磁クラッチ２０が設けられている。
【００１９】
電磁クラッチ２０は、保持器１４の端面に対向配置されたアーマチュア２１と、そのアーマチュア２１と軸方向で対向するロータ２２と、そのロータ２２と軸方向で対向する電磁石２３と、上記ロータ２２から離反する方向にアーマチュア２１を付勢する離反ばね２４とからなる。
【００２０】
図２に示すように、アーマチュア２１は係合孔２５を有し、その係合孔２５に保持器１４の端部に形成された突片２６が係合し、その突片２６と係合孔２５の係合によってアーマチュア２１は保持器１４に対して回り止めされ、かつ軸方向に移動自在とされている。
【００２１】
ロータ２２は、ロータガイド２７を介して外輪１に接続される。図２および図４に示すように、ロータガイド２７は、その一端部が外輪１の開口端部の外周に嵌合され、その内周には、外輪１の開口端面に対する当接によってロータガイド２７の嵌合量を規制する環状膨出部２８が形成されている。
【００２２】
ここで、外輪１には、ロータガイド２７が嵌合される嵌合面に綾目からなるローレット目２９が形成されている。ロータガイド２７は、その嵌合面に嵌合され、縮径による加締め（縮径加締め）によって外輪１に結合される。図５は、ロータガイド２７の一端部をローラ３０によって縮径加締めしている状態を示し、その縮径加締めによりロータガイド２７の一端部は塑性変形して内径面にローレット目２９に係合する微小突部３１が形成され、この微小突部３１とローレット目２９の係合によってロータガイド２７は回り止めされ、かつ抜止めされて、外輪１に一体化される。
【００２３】
図１に示すように、ロータ２２は、外周および内周に円筒部２２ａ，２２ｂを有し、外周円筒部２２ａがロータガイド２７の他端部内に嵌合され、その外周円筒部２２ａの開口端に形成された外向きの突片３２とロータガイド２７の他端部に形成された切欠き３３の係合によってロータ２２はロータガイド２７に対して回り止めされている。
【００２４】
また、ロータ２２は、ロータガイド２７の他端部内に取付けられた止め輪３４によってロータガイド２７の他端から抜け出るのが防止されている。
【００２５】
電磁石２３は、電磁コイル２３ａと、その電磁コイル２３ａを支持するコア２３ｂとからなり、上記電磁コイル２３ａに通電すると、コア２３ｂ、ロータ２２およびアーマチュア２１に磁束が流れ、アーマチュア２１に吸引力が付与されるようになっている。
【００２６】
実施の形態で示す回転伝達装置は上記の構造からなり、図１および図２は、電磁石２３の電磁コイル２３ａに対する通電の遮断状態を示し、アーマチュア２１はロータ２２から離反して、そのロータ２２との間にエアギャップが形成されている。また、２方向クラッチ１０は係合解除状態とされている。このため、内輪２が回転してもその回転は外輪１に伝達されず、内輪２はフリー回転する。
【００２７】
内輪２の回転状態において、電磁石２３の電磁コイル２３ａに通電すると、コア２３ｂ、ロータ２２およびアーマチュア２１間に磁束が流れ、アーマチュア２１がロータ２２に吸着される。
【００２８】
アーマチュア２１の吸着により、その吸着面に作用する摩擦抵抗は保持器１４の回転抵抗となるため、内輪２と保持器１４が相対回転する。その相対回転により、係合子１３が円筒面１１およびカム面１２に係合して、２方向クラッチ１０は係合状態となり、内輪２の回転が外輪１に伝達される。また、内輪２と保持器１４の相対回転により、スイッチばね１５が弾性変形する。
【００２９】
このため、電磁コイル２３ａに対する通電を遮断すると、離反ばね２４の押圧力によって、アーマチュア２１がロータ２２から離反すると共に、スイッチばね１５の復元弾性により、保持器１４が回転し、係合子１３は円筒面１１およびカム面１２に対して係合解除される中立位置に戻され、２方向クラッチ１０は係合解除状態とされて、内輪２から外輪１への回転伝達が遮断される。
【００３０】
回転伝達装置は、上記のように、アーマチュア２１の吸着により保持器１４の回転を制御して２方向クラッチ１０を係合させるため、アーマチュア２１が吸着されるロータ２２、特にそのロータ２２を支持するロータガイド２７の取付けが不安定であると、２方向クラッチ１０を確実に作動させることができなくなる。
【００３１】
実施の形態においては、上記ロータガイド２７の取付けに際して、外輪１の上記ロータガイド２７が嵌合される開口端部の外周面にローレット目２９を形成し、その開口端部の外周面にロータガイド２７の一端部を嵌合して、その一端部を縮径加締めするようにしているため、外輪１に対してロータガイド２７を強固に結合一体化することができる。したがって、そのロータガイド２７にロータ２２を取付けることでロータ２２に安定した精度の高い取付け状態を得ることができる。
【００３２】
また、外輪１の開口端部の外周面にローレット目２９を形成する加工と、ロータガイド２７の端部を縮径加締めする加工とによってロータガイド２７を回り止めし、かつ軸方向に非分離とすることができるため、外輪の開口端面に形成された切欠部とロータガイドに設けられた回り止め片の嵌合によってロータガイドを回り止めし、かつ、外輪の端部内周に形成された係合溝と上記回り止め片の内径面に形成された抜止め溝に跨るようにして止め輪を取付けてロータガイドを軸方向に非分離とする従来の回転伝達装置に比較して加工コストの低減と、組立て性の向上を図ることができる。
【図面の簡単な説明】
【００３３】
【図１】この発明に係る回転伝達装置の実施の形態を示す縦断正面図
【図２】外輪、ロータガイドおよびロータの接続部を示す拡大断面図
【図３】図１のIII−III線に沿った断面図
【図４】外輪とロータガイドとを示す一部切欠斜視図
【図５】ロータガイドの縮径加締めの状態を示す断面図
【符号の説明】
【００３４】
１    外輪
２    内輪
１０  ２方向クラッチ
１１  円筒面
１２  カム面
１３  係合子
１４  保持器
２０  電磁クラッチ
２１  アーマチュア
２２  ロータ
２３  電磁石
２７  ロータガイド
２９  ローレット目
【図１】
2008202630.tif 000003
【図２】
2008202630.tif 000004
【図３】
2008202630.tif 000005
【図４】
2008202630.tif 000006
【図５】
2008202630.tif 000007